(57)【要約】      （修正有）【課題】髪切りを行う際に、既存のハサミで生じる頓挫感を減少し、操作の困難、力の入れ過ぎ、及び髪の断面がダメージを受けるという問題を解決できる曲線状刃を有するハサミを提供する。【解決手段】曲線状刃を有するハサミは、第１刃体１０と、第２刃体２０と、第１刃体１０と第２刃体２０を連結するネジ３０と、を備えており、第１刃体１０は間隔を有して並列に設置される複数の歯状刃１１を有し、それぞれの歯状刃１１の刃１２は内に窪んだ曲線形状になっており、且つ刃１２の両端は第１刃先１３と第２刃先１４であり、第１刃先１３は第２刃先１４に相対してネジ３０から近い所に位置し、第１刃先１３は第２刃先１４に相対して刃先１１の根元から遠い所に位置する。【選択図】図２
0003204892.tif 000002
【実用新案登録請求の範囲】
【請求項１】
第１刃体（１０）と、第２刃体（２０）と、前記第１刃体（１０）と第２刃体（２０）を連結させるネジ（３０）と、を備える曲線状刃を有するハサミであって、前記第１刃体（１０）は複数の間隔を有して並列に設置される複数の歯状刃（１１）を有し、前記それぞれの歯状刃（１１）の刃（１２）は内に窪んだ曲線形状になっており、且つ前記刃（１２）の両端には第１刃先（１３）と第２刃先（１４）とを有し、前記第１刃先（１３）は前記第２刃先（１４）に相対して前記ネジ（３０）から近い所に位置し、前記第１刃先（１３）は前記第２刃先（１４）に相対して前記歯状刃（１１）の根元の位置から遠い所に位置することを特徴とする曲線状刃を有するハサミ。
【請求項２】
前記複数の歯状刃（１１）の第１刃先（１３）の間を結ぶラインと、前記それぞれの歯状刃（１１）の刃（１２）との間の挟角が２０°〜４５°であることを特徴とする請求項１に記載の曲線状刃を有するハサミ。
【請求項３】
前記複数の歯状刃（１１）の第１刃先（１３）の間を結ぶラインと、前記それぞれの歯状刃（１１）の刃（１２）との間の挟角は２４．５°であることを特徴とする請求項２に記載の曲線状刃を有するハサミ。
【請求項４】
前記歯状刃（１１）の刃（１２）は一つの弧線で構成される曲線形状であることを特徴とする請求項２に記載の曲線状刃を有するハサミ。
【請求項５】
前記歯状刃（１１）は、斜面を呈し、且つ交わるように設置される第１刃面（１５）と第２刃面（１６）を有し、前記第１刃面（１５）の最も薄い所と前記第２刃面（１６）の最も厚い所が互いに接して交線を構成することを特徴とする請求項４に記載の曲線状刃を有するハサミ。
【請求項６】
前記歯状刃（１１）の刃（１２）は、二つの弧線形状の第１弧刃（１２１）と第２弧刃（１２２）とが連結して構成される曲線形状であることを特徴とする請求項２に記載の曲線状刃を有するハサミ。
【請求項７】
前記歯状刃（１１）の刃（１２）は、二つの直線形状の第１直刃（１２３）と第２直刃（１２４）とが連結して構成される曲線形状であることを特徴とする請求項２に記載の曲線状刃を有するハサミ。
【請求項８】
前記歯状刃（１１）は、斜面を呈し、且つそれぞれが交わるように設置される第１刃面（１５）、第２刃面（１６）、及び第３刃面（１７）を有し、前記第１刃面（１５）の最も薄い所と、前記第２刃面（１６）及び第３刃面（１７）の最も厚い所が互いに接して交線を構成し、前記第２刃面（１６）と第３刃面（１７）が互いに接して交線を構成することを特徴とする請求項６又は請求項７に記載の曲線状刃を有するハサミ。
【請求項９】
前記第１直刃（１２３）と第２直刃（１２４）との間の挟角は１６５°であることを特徴とする請求項７に記載の曲線状刃を有するハサミ。
【請求項１０】
前記歯状刃（１１）の第１刃先（１３）と第２刃先（１４）の間を結ぶラインと、前記第１直刃（１２３）との間の挟角が１１°であることを特徴とする請求項９に記載の曲線状刃を有するハサミ。
【考案の詳細な説明】
【技術分野】
【０００１】
本考案は、曲線状刃を有するハサミに関する。
【背景技術】
【０００２】
現在使用されている髪切り用ハサミは、一般的に第１刃体、第２刃体、及びネジを備えており、前記第１刃体と第１刃体はネジによって連結され、且つネジを円心に回転して開ける又は閉じることができる。第１刃体は複数個の互いに平行に排列されている歯状刃を有し、それぞれの歯状刃の自由端には刃が形成されており、第２刃体の第１刃体に相対する一端には鋭利な刃が形成され、該刃と該鋭利な刃によって剪断作用を果たしている。
【０００３】
第１刃体の歯状刃上の刃は略ストレート状を呈しており、第２刃体の歯状刃上の鋭利な刃も同様に略ストレート状を呈している。閉じて剪断する過程において、刃と鋭利な刃の間の挟角は漸次に縮小して、刃と鋭利な刃の間にある髪を外に向けて推し動かす傾向があって、髪が刃と鋭利な刃の間で外に向けて摺動するので、髪と刃及び鋭利な刃が接触されず容易に剪断することができない。そのため、力を入れて迅速に剪断しなければ、刃と鋭利な刃の間にある髪を剪断することができないので、使用時に頓挫感が生じ易く、剪断が不確実で、更に力を入れなければ髪を剪断できないという欠点を有し、同時に髪が押圧されてダメージを受けることがあり、利用者の操作困難と力を入れ過ぎるという問題が発生する。
【考案の概要】
【考案が解決しようとする課題】
【０００４】
本考案の目的は、曲線状刃を有するハサミを提供して、既存のハサミで生じる頓挫感を減少させて、操作の困難、力の入れ過ぎ、及び髪の断面がダメージを受けるという問題を解決することである。
【課題を解決するための手段】
【０００５】
上述の目的を達成するため、本考案の採用する技術方法は以下のとおりである。曲線状刃を有するハサミであって、第１刃体と第２刃体、及び前記第１刃体と第２刃体を連結するネジを備えており、前記第１刃体は間隔を有して並列に設置されている複数の歯状刃を有する。前記それぞれの歯状刃の刃は内に窪んだ曲線形状であり、且つ前記刃の両端に第１刃先と第２刃先とを有し、前記第１刃先は前記第２刃先に相対して前記ネジの位置に近い所に位置し、前記第１刃先は前記第２刃先に相対して前記歯状刃の根元から遠い所に位置することを特徴とする。
【０００６】
以上の形態に基づいて、前記複数の歯状刃の第１刃先の間を結ぶラインと、前記それぞれの歯状刃の刃との間の挟角は２０°〜４５°である。
以上の形態に基づいて、前記複数の歯状刃の第１刃先の間を結ぶラインと、前記それぞれの歯状刃の刃との間の挟角は２４．５°である。
以上の形態に基づいて、前記歯状刃の刃は一つの弧線によって構成する曲線形状になっている。
【０００７】
以上の形態に基づいて、前記歯状刃は、斜面を呈し、且つ交わるように設置される第１刃面と第２刃面を有し、前記第１刃面の最も薄い所と前記第２刃面の最も厚い所が互いに接して交線を構成する。
【０００８】
以上の形態に基づいて、前記歯状刃の刃は、二つの弧線形状の第１弧刃と第２弧刃とが連結されて構成される曲線形状になっている。
以上の形態に基づいて、前記歯状刃の刃は二つの直線形状の第１直刃と第２直刃とが連結されて構成される曲線形状になっている。
【０００９】
以上の形態に基づいて、前記歯状刃は、斜面を呈し、且つそれぞれが交わるように設置される第１刃面、第２刃面、及び第３刃面を有し、前記第１刃面の最も薄い所と前記第２刃面及び第３刃面の最も厚い所が互いに接して交線を構成し、前記第２刃面と第３刃面は互いに接して交線を構成する。
【００１０】
以上の形態に基づいて、前記第１直刃と第２直刃との間の挟角は１６５°である。
以上の形態に基づいて、前記歯状刃の第１刃先と第２刃先の間を結ぶラインと、前記第１直刃との間の挟角は１１°である。
【考案の効果】
【００１１】
本考案は第１刃体の歯状刃上の刃を内に窪んだ曲線形状に設計し、同時に刃の二つの刃先が異なる高さに位置し、ネジから近い刃先はネジから遠い刃先より高く見えるため、二つの刃先の間の刃は一定の斜角を有する。髪が刃に位置すると同時にハサミを閉じて剪断を行った後、髪は刃の上で軽微に摺動し、斜角の役割は髪の継続的な摺動を阻止することであり、そのため、髪は斜角を有する刃の上で軽微に回転すると同時に、髪は依然として刃と接触した状態になっている。このように剪断過程では引き切りとホブ切りに相当する効果を生じ、比較的小さい力だけで容易に髪を剪断することができる。剪断過程で生じる頓挫感を減少し、既存のハサミにおいて頓挫感があることで、操作困難と力を入れ過ぎるという問題を解決し、同時に髪の断面を揃えて均一にさせ、且つ髪に対する押圧によるダメージが生じない。
【図面の簡単な説明】
【００１２】
【図１】本考案の構造模式図である。
【図２】本考案の第１実施例の模式図である。
【図３】本考案の第２実施例の模式図である。
【図４】本考案の第３実施例の模式図である。
【考案を実施するための形態】
【００１３】
以下では図面と実施例を参考して、本考案の技術方法に対する説明を行う。
【００１４】
図１に示すように、本考案の前記曲線状刃を有するハサミは、第１刃体１０、第２刃体２０、及びネジ３０を備えており、ネジ３０は第１刃体１０と第２刃体２０を互いにヒンジ連結させており、第１刃体１０と第２刃体２０が、それぞれネジ３０を円心として回転することで、第１刃体１０と第２刃体２０の間の開き又は閉じを実現して、剪断過程を実現する。具体的に説明するために、ハサミの刃先の一端を前端とし、ハサミのハンドルの一端を後端と定義する。第１刃体１０と第２刃体２０は、いずれも前端に位置する剪断部と後端に位置する手持ち部を有し、手持ち部はフック状又は環状であってもよく、手指の操作を容易にする。しかも手持ち部には緩衝パッドが取り付けられており、第１刃体１０と第２刃体２０の閉じる時の衝撃力を緩衝する。第１刃体１０には複数の歯状刃１１が設置されており、複数の歯状刃１１はいずれも第２刃体２０に向けて設置され、且つ複数の歯状刃１１の間は間隔を有して並列され、それぞれの歯状刃１１の第２刃体２０に向ける端面上にはいずれも刃１２が設けられ、同様に第２刃体２０の第１刃体１０に向ける片側には鋭利な刃が設けられて、刃１２と鋭利な刃によって剪断状態を形成する。刃１２の両端は第１刃先１３と第２刃先１４であり、第１刃先１３は相対的にネジ３０から近い所に位置し、第２刃先１４は相対的にネジ３０から遠い所に位置し、即ち第１刃先１３は後端に位置し、第２刃先１４は前端に位置する。同時に、第１刃先１３は相対的に歯状刃１１の根元から遠い所に位置し、第２刃先１４は相対的に歯状刃１１の根元から近い所に位置し、即ち第１刃体１０を平らに配置されたとき、第１刃先１３は高さが第２刃先１４より高く見える。同時に、第１刃先１３と第２刃先１４の間の刃１２は、内に窪んだ曲線形状に設計されており、即ち第１刃先１３と第２刃先１４間に位置する刃１２の部分は、歯状刃１１の背部方向に傾斜し、刃１２が一定の曲率を有し、刃１２の任意の位置ではいずれも斜角形を有する刃形を形成することができる。髪が刃１２の上に位置すると同時にハサミを閉じて剪断を行った後、髪は刃１２の上で軽微に摺動し、斜角の役割は髪が継続的に摺動することを阻止することであり、そのため、髪は斜角を有する刃１２の上で軽微に回転し、同時に髪は依然として刃１２と互いに接触する状態になり、このように剪断過程では引き切りとホブ切りに相当する効果を生じさせて、小さい力だけで簡単に髪を剪断することができる。剪断過程における頓挫感を減少させて、既存のハサミが頓挫感を有することで、操作が困難と力を入れ過ぎるという問題を解決し、同時に髪の断面を揃えて均一にさせ、髪を押圧してダメージを生じさせることもない。
【００１５】
刃の剪断効果を高めるため、前記複数の歯状刃１１の第１刃先１３の間を結ぶラインと、前記それぞれの歯状刃１１の刃１２との間の挟角は２０°〜４５°である。具体的には、複数の歯状刃１１上の複数の第１刃先１３を直線によって連結して仮想の剪断線を形成し、次に単一の刃１２上の第１刃先１３と第２刃先１４を直線によって連結することで該刃１２の刃線を形成する。前記剪断線と刃線の間の挟角は２０°〜４５°に設計されており、好ましくは、該挟角は２４．５°である。第２刃体２０の鋭利な刃と第１刃体１０の刃１２の剪断時の挟角をより大きくさせることで、刃１２の斜角はさらに剪断に適し、非常に弱い力で剪断するだけで、揃えられた髪の剪断面にすることができる。
【００１６】
刃１２の曲線形状は、具体的には一つの全体的な弧線刃で構成するか、又は二つ部分の弧線刃を順次に連結して構成するか、又は二つ部分の直線刃を順次に連結して構成することができ、弧線のラジアンは比較的深いラジアンを選択するか又は比較的浅いラジアンを選択することができ、どのような構成方法にしても、刃１２上の任意の所は、いずれも斜角構造を有することで、本考案の前記剪断効果を容易に達成できるようになる。
【００１７】
刃１２が一つの全体的な弧線刃からなるとき、図２に示すように、歯状刃１１上に第１刃面１５と第２刃面１６を設計し、かつ第１刃面１５と第２刃面１６をいずれも斜面に設計している。第１刃面１５の最も薄い所と第２刃面１６の最も厚い所が互いに接して交線を構成し、該交線は第１刃面１５と第２刃面１６が構成する四角形状に近似する対角の所に位置し、即ち第１刃先１３の位置から第２刃先１４の根元まで平滑に延伸して、第１刃面１５と第２刃面１６にいずれも三角に近似する形状を形成している。歯状刃１１の厚さは刃背の所から刃部に向けて漸次に薄くなって、刃面が一定の厚さを有して刃面の堅固を維持するだけではなく、同時に刃１２の所をさらに薄くして、剪断に役立つようにすることができる。
【００１８】
刃１２が二つの部分の弧線刃を順次に連結して構成されるとき、図３に示すように、歯状刃１１上には第１刃面１５、第２刃面１６、及び第３刃面１７が設けられ、三つの刃面はいずれも斜面に設計されている。前記第１刃面１５の最も薄い所と前記第２刃面１６及び第３刃面１７の最も厚い所が互いに接して交線を構成し、該交線は第１刃面１５、第２刃面１６、及び第３刃面１７が構成する四角形状に近似する対角の所に位置し、即ち第１刃先１３の位置から第２刃先１４の根元まで平滑に延伸し、同時に前記第２刃面１６と第３刃面１７が互いに接して他の一つの交線を構成して、第１刃面１５を、三角に近似する形状に形成させている。第２刃面１６は三角に近似する形状を形成し、第３刃面１７は四角形状に近似する形状を形成する。ここで、二つの部分の弧線刃を第１弧刃１２１と第２弧刃１２２と定義し、第１刃先１３は第１弧刃１２１の後端（ネジ３０から近い一端）に位置し、第２刃先１４は第２弧刃１２２の前端（ネジ３０から遠い一端）に位置する。同様に、歯状刃１１の厚さは刃背の所から刃部に向けて漸次に薄くなって、刃面が一定の厚さを有して刃面の堅固を維持するだけではなく、同時に刃１２の所をさらに薄くして、剪断に役立つようにする。
【００１９】
刃１２が二つの部分の直線刃を順次に連結して構成されるとき、図４に示すように、歯状刃１１上には第１刃面１５、第２刃面１６、及び第３刃面１７が設けられ、三つの刃面はいずれも斜面に設計されている。前記第１刃面１５の最も薄い所と前記第２刃面１６及び第３刃面１７の最も厚い所が互いに接して交線を構成し、該交線は第１刃面１５、第２刃面１６、及び第３刃面１７が構成する四角形状に近似する対角の所に位置し、即ち第１刃先１３の位置から第２刃先１４の根元まで平滑に延伸し、同時に前記第２刃面１６と第３刃面１７が互いに接して他の一つの交線を構成して、第１刃面１５を三角に近似する形状に形成させている。第２刃面１６は三角形状を形成し、第３刃面１７は四角形状に近似する形状を形成する。ここで、二つの部分の弧線刃を第１直刃１２３と第２直刃１２４と定義し、第１刃先１３は第１直刃１２３の後端（ネジ３０から近い一端）に位置し、第２刃先１４は第２直刃１２４の前端（ネジ３０から遠い一端）に位置する。同様に、歯状刃１１の厚さは刃背の所から刃部に向けて漸次に薄くなって、刃面が一定の厚さを有して刃面の堅固を維持するだけではなく、同時に刃１２の所をさらに薄くして、剪断に役立つようにする。さらに、第２刃面１６を傾斜率が比較的大きい斜面に設計することができ、即ち第２刃面１６と第３刃面１７の間は挟角を有しており、このようにして大きい力を加えてハサミを閉じる際に生じる鋭利な刃と刃１２の間の歯の係止問題を避けることができる。好ましくは、第１直刃１２３と第２直刃１２４との間の挟角を１６５°にすることで、上述の歯の係止問題を更によく解決できる。それ以外に、第１刃先１３と第２刃先１４は一つの直線によって連結して仮想の刃線に形成され、この刃線と第１直刃１２３、第２直刃１２４との間は一つの鈍角三角形を構成し、該鈍角は、前記第１直刃１２３と第２直刃１２４との間の１６５°の挟角であり、刃線と第１直刃１２３との間の挟角を１１°に設計して、歯の係止を避ける効果を更に高めることができる。
【符号の説明】
【００２０】
１０−第１刃体、２０−第２刃体、３０−ネジ、１１−歯状刃、１２−刃、１３−第１刃先、１４−第２刃先、１５−第１刃面、１６−第２刃面、１７−第３刃面、１２１−第１弧刃、１２２−第２弧刃、１２３−第１直刃、１２４−第２直刃。
【図１】
0003204892.tif 000003
【図２】
0003204892.tif 000004
【図３】
0003204892.tif 000005
【図４】
0003204892.tif 000006